(57)【要約】      （修正有）【課題】簡便な構造で使いやすく、しかも十分なパイプ先端部の防錆効果が得られ、耐久性および実用性が高いパイプ端部保護用具を提供する。【解決手段】金属製パイプ（パイプ）Ｐ端部を保護するためのパイプ端部保護用具１０は、使用対象のパイプＰ内に嵌め込まれる小径部２と、小径部２にパイプＰ外径以上の外径をもって連設されている大径部１とからなり、大径部１の上端がパイプ端部Ｔを下方から支持する止め部３を形成している構成とする。【選択図】図３
2015057045.tif 000002
【特許請求の範囲】
【請求項１】
腐食性パイプ（以下、単に「パイプ」という。）端部の保護用具であって、使用対象の該パイプ内に入る小径部と、該小径部に該パイプ外径以上の外径をもって連設されている大径部とからなり、該大径部の上端が該パイプ端を下方から支持する止め部を形成している、パイプ端部保護用具。
【請求項２】
前記パイプは本来その下端部を地中に埋設して用いるものであることを特徴とする、請求項１に記載のパイプ端部保護用具。
【請求項３】
前記大径部の少なくとも下端部は筒状であることを特徴とする、請求項１または２に記載のパイプ端部保護用具。
【請求項４】
前記大径部は下端に向けて縮径していることを特徴とする、請求項１または２に記載のパイプ端部保護用具。
【請求項５】
前記大径部は柱状であることを特徴とする、請求項１または２に記載のパイプ端部保護用具。
【請求項６】
前記小径部が地上に位置するように前記大径部を地中に埋設して用いられることを特徴とする、請求項１ないし５のいずれかに記載のパイプ端部保護用具。
【請求項７】
農業用ハウス、園芸用ハウス、または車庫・倉庫・物置その他の用途のパイプハウスのいずれかに用いられることを特徴とする、請求項１ないし６のいずれかに記載のパイプ端部保護用具。
【発明の詳細な説明】
【技術分野】
【０００１】
本発明はパイプ端部保護用具に係り、特に、農業用ハウス、園芸用ハウス、または車庫・倉庫・物置その他の用途のパイプハウスに用いる金属製パイプ（以下、単に「パイプ」ともいう。）の先端部を錆・腐食から保護でき、耐久性を高めることのできる、パイプ端部保護用具に関する。
【背景技術】
【０００２】
農業用ハウス等のパイプハウスは、金属製パイプによる骨組みに被覆資材である合成樹脂製フィルムが取り付けられて構成される。支柱とするパイプはその先端が土中に埋設され、これによりパイプハウスが地上に設置される。しかし土中に埋設する部分は相当速く腐食が進むため、一年毎に支柱の交換が必要になる場合もある。
【０００３】
このような問題と関連し、後掲特許文献１には、支柱への取付けが簡易で長年月にわたって支柱の腐食を防止できる大型ビニールハウス用支柱の先端保護具として、先端部と、その背部に一体に連ねて形成された本体部と、本体部に後方のみを開放して形成された差込み凹部と、金属製の支柱の先端部分を内嵌合させる合成樹脂製パイプと、差込み凹部の底から先端部に貫通するドレン通路とを備えた構成を開示されている。この先端保護具では、合成樹脂製パイプの先端部分が差込み凹部内に密に嵌合して一体的に固着され、先端部から合成樹脂製パイプの後端より先端部側へ所定寸法寄った位置までが土中に埋設される。
【先行技術文献】
【特許文献】
【０００４】
【特許文献１】特開２００８−１１３６０９号公報「大型ビニールハウス用支柱の先端保護具」（みなし取下げ）
【発明の概要】
【発明が解決しようとする課題】
【０００５】
しかし、特許文献開示の技術は構造が複雑な上、保護対象であるところのパイプがドレンを介して土中と連通しているため、先端部の防錆効果が不十分で実用性を欠くものと考えられる。より簡便な構造で使いやすく、しかもパイプ先端部の防錆効果の十分な、より実用性の高い技術が求められている。
【０００６】
本願が解決しようとする課題は、かかる従来技術の問題点を解消し、より簡便な構造で使いやすく、しかも十分なパイプ先端部の防錆効果が得られ、耐久性および実用性が高いパイプ端部保護用具を提供することである。
【課題を解決するための手段】
【０００７】
本願発明者は上記課題について検討した結果、上記文献開示技術のように先端部をキャップ状に被覆した状態のパイプを土中に埋設する方法を採るではなく、土に差し込まれた支持用具の地上露出先端部でパイプを受け止める方式とすることにより当該課題を解決できることに想到し、これを基礎として本発明の完成に至った。すなわち、上記課題を解決するための手段として本願で特許請求される発明、もしくは少なくとも開示される発明は、以下のとおりである。
【０００８】
〔１〕  腐食性パイプ（以下、単に「パイプ」という。）端部の保護用具であって、使用対象の該パイプ内に入る小径部と、該小径部に該パイプ外径以上の外径をもって連設されている大径部とからなり、該大径部の上端が該パイプ端を下方から支持する止め部を形成している、パイプ端部保護用具。
〔２〕  前記パイプは本来その下端部を地中に埋設して用いるものであることを特徴とする、〔１〕に記載のパイプ端部保護用具。
【０００９】
〔３〕  前記大径部の少なくとも下端部は筒状であることを特徴とする、〔１〕または〔２〕に記載のパイプ端部保護用具。
〔４〕  前記大径部は下端に向けて縮径していることを特徴とする、〔１〕または〔２〕に記載のパイプ端部保護用具。
【００１０】
〔５〕  前記大径部は柱状であることを特徴とする、〔１〕または〔２〕に記載のパイプ端部保護用具。
〔６〕  前記小径部が地上に位置するように前記大径部を地中に埋設して用いられることを特徴とする、〔１〕ないし〔５〕のいずれかに記載のパイプ端部保護用具。
〔７〕  農業用ハウス、園芸用ハウス、または車庫・倉庫・物置その他の用途のパイプハウスのいずれかに用いられることを特徴とする、〔１〕ないし〔６〕のいずれかに記載のパイプ端部保護用具。
【発明の効果】
【００１１】
本発明のパイプ端部保護用具は上述のように構成されるため、より簡便な構造で使いやすい。しかも、十分なパイプ先端部の防錆効果が得られ、耐久性が高く、実用性に優れる。したがって、農業用ハウスその他のパイプハウス自体の耐久性も高めることができる。また、構成が簡素であるため製造も容易である。
【図面の簡単な説明】
【００１２】
【図１】本発明のパイプ端部保護用具の基本構成を示す説明図である。
【図２】図１に示すパイプ端部保護用具の使用方法を示す説明図である。
【図３】図１に示すパイプ端部保護用具の使用方法を示す説明図である。
【図４】本発明のパイプ端部保護用具の形態例を示す断面視の説明図である。
【図５】図４中（ｄ）の例の使用方法を示す説明図である。
【発明を実施するための形態】
【００１３】
本発明について、図面を用いてさらに詳細に説明する。
図１は、本発明のパイプ端部保護用具の基本構成を示す説明図である。また、
図２および３は、図１に示すパイプ端部保護用具の使用方法を示す説明図である。これらに図示するように本パイプ端部保護用具１０は、金属製パイプ等の腐食性パイプ（パイプ）Ｐの端部を保護するための用具であり、使用対象のパイプＰ内に嵌め込まれる小径部２と、小径部２にパイプＰ外径以上の外径をもって連設されている大径部１とからなり、大径部１の上端がパイプＰのパイプ端Ｔを下方から支持する止め部３を形成していることを、主たる構成とする。なお、小径部２の径は、対象とするパイプＰの内径以下の径を有するものとする。
【００１４】
かかる構成により本発明パイプ端部保護用具１０は、その小径部２が地上に位置するように大径部１が地中などの設置対象Ｇ（以下、地中（Ｇ））に埋設された状態で用いられる。そして、パイプＰはパイプ端部保護用具１０の小径部２を被覆するようにこれに嵌め合わされる。パイプＰのパイプ端Ｔはパイプ端部保護用具１０の大径部１上端の止め部３に当接して支持され、これによりパイプＰは上方へ支持される。
【００１５】
また、パイプＰの内壁は、小径部２の外壁により側方から支持される。これによりパイプＰは安定的に支持され、支柱として十分に機能するとともに、地中に下端部を埋設するのではなく地上において支持されるため、腐食を効果的に防止することができる。このようにして本パイプ端部保護用具１０の、腐食性パイプ（パイプ）Ｐ端部保護作用・効果が得られる。
【００１６】
止め部３の幅は、対象とするパイプＰのパイプ端Ｔの幅と同一、またはそれよりも大きいものとする。これによりパイプ端Ｔの全体を受け止め、パイプＰの支持作用を十分に果たすことができる。
【００１７】
また、小径部２の径は、対象とするパイプＰの内径と同一、またはそれよりも小さいものとする。同一の場合はパイプＰと小径部２とが隙間なく嵌め合わされるため、パイプＰをより安定した状態で支持することができる。小径部２が小さい場合は、パイプＰの内壁との間に隙間が生じるが、それでも小径部２外壁による側方からの支持作用により、パイプＰは支持される。
【００１８】
なお、小径部２の長さは、対象とするパイプＰに対する側方からの支持効果を十分に得られる程度の長さである限り、適宜の長さとすればよい。また、大径部１の長さも、地中（Ｇ）における安定的な埋設状態を維持できる長さである限り、適宜の長さとすることができる。
【００１９】
また、本パイプ端部保護用具１０の断面形状は特に限定されないが、対象とするパイプＰの断面形状に適合するものとする。パイプＰは円形断面を有するのが通常であるから、パイプ端部保護用具１０の断面形状もそれに合わせた円形とすることを通常とする。
【００２０】
なお、対象とするパイプＰには、パイプハウスの用途や規模等によって種々のサイズ・その他仕様のものがある。本発明パイプ端部保護用具１０のサイズ・その他の仕様は、それらパイプＰのサイズ・その他の仕様に合わせて適宜に設計されることは、いうまでもない。
【００２１】
また、本パイプ端部保護用具１０の材料としては、パイプＰを安定的かつ長期に支持できる程度の物性・特性のものである限り、合成樹脂、金属、その他いかなる物でも用いることができる。
【００２２】
なお上述の、小径部２の径が対象とするパイプＰの内径よりも小さい場合は、図２、３の順序で、既に設置された状態の本パイプ端部保護用具１０にパイプＰを嵌め合わせればよい。また、小径部２の径が対象とするパイプＰの内径と同一の場合は、パイプＰと小径部２とが隙間なく嵌め合わされるので、図２、３に示すような順序で行うことの他、予めパイプＰとパイプ端部保護用具１０とを嵌め合わせたものを設置対象（Ｇ）に対して設置することとしてもよい。
【００２３】
図４は、本発明のパイプ端部保護用具の形態例を示す断面視の説明図である。図中の（ａ）に示すように、パイプ端部保護用具１１０はその大径部１１が柱状に形成されたものすることができる。この場合、設置対象（地中など）に埋設する際の抵抗は大きいが、それだけに、設置後の安定性をより高くすることのできる可能性がある。
【００２４】
また、（ｂ）や（ｃ）の例ように、大径部２１等の少なくとも下端部が開放された筒状に形成されたものとすることができる。かかる構成によれば、（ａ）よりも容易に設置できる。なお、（ｂ）のパイプ端部保護用具２１０のように小径部２２をより強固な柱状としても、また（ｃ）の用具３１０のように筒状の小径部３２としてもよい。
【００２５】
また、（ｄ）のパイプ端部保護用具４１０のように、大径部４１が下端４４に向けて縮径した構成としてもよい。この場合、図５の使用方法の図に示すように、先端が尖っているために、地中（Ｇ）への埋設がより容易である。なお、縮径の仕様、先端の具体的仕様は特に限定されない。
【産業上の利用可能性】
【００２６】
本発明のパイプ端部保護用具は簡便な構造で使いやすい。しかも、十分なパイプ先端部の防錆効果が得られ、耐久性が高く、実用性に優れる。したがって、農業用ハウス、園芸用ハウス、または車庫・倉庫・物置その他の用途のパイプハウスに広く用いることができ、これらの耐久性を高めることができる。したがって、農業・園芸分野を初め、広範な産業分野に亘って利用性が高い発明である。
【符号の説明】
【００２７】
１、１１、２１、３１、４１…大径部
２、１２、２２、３２、４２…小径部
３、４３…止め部
４、１４、２４、３４、４４…下端
５、１５、２５、３５、４５…上端
１０、１１０、２１０、３１０、４１０…パイプ端部保護用具
Ｇ…土（設置対象）
Ｐ…金属製パイプ（パイプ）
Ｔ…金属製パイプ端（パイプ端）
【図１】
2015057045.tif 000003
【図２】
2015057045.tif 000004
【図３】
2015057045.tif 000005
【図４】
2015057045.tif 000006
【図５】
2015057045.tif 000007